【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
ユーザが画像を編集する際に用いられ、入力された画像を必要に応じて画像処理を施して表示部に表示する作業用表示装置と、
ユーザが前記作業用表示装置を用いて編集した画像を確認するために用いられ、入力された画像を必要に応じて画像処理を施して表示部に表示するマスタ表示装置と、
管理サーバと、
を有する表示管理システムであって、
前記管理サーバは、
前記マスタ表示装置が実行可能な画像処理から、ユーザが前記作業用表示装置を用いて編集した画像を前記マスタ表示装置を用いて確認する際に前記マスタ表示装置が実行する画像処理を、ユーザに選択させる選択手段と、
前記選択手段で選択された画像処理を前記作業用表示装置が実行可能な場合に、該画像処理を前記作業用表示装置に指示する指示手段と、
を有し、
前記作業用表示装置は、
入力された画像に、前記指示手段から指示された画像処理を施す画像処理手段と、
前記画像処理手段で画像処理が施された画像を表示部に表示する表示手段と、
を有する
ことを特徴とする表示管理システム。
【請求項２】
前記選択手段で選択された画像処理を前記作業用表示装置が実行不可能な場合に、前記指示手段は、前記作業用表示装置が実行可能な画像処理のうち、前記選択手段で選択された画像処理として代用可能な画像処理を、前記作業用表示装置に指示する
ことを特徴とする請求項１に記載の表示管理システム。
【請求項３】
前記選択手段で選択された画像処理、及び、該画像処理として代用可能な画像処理を前記作業用表示装置が実行不可能な場合に、前記指示手段は、前記作業用表示装置に、前記マスタ表示装置と同じ表示を行えない旨の警告の表示を指示し、
前記表示手段は、前記指示手段から前記警告の表示が指示された場合に、表示部に該警告を表示する
ことを特徴とする請求項１または２に記載の表示管理システム。
【請求項４】
前記管理サーバは、前記マスタ表示装置が実行可能な画像処理を表す第１の独自機能情報と、前記作業用表示装置が実行可能な画像処理を表す第２の独自機能情報と、画像処理毎に、その画像処理として代用可能な画像処理を表す代用情報と、を記憶する記憶部を更に有し、
前記選択手段は、前記第１の独自機能情報で表される画像処理の中から、画像処理をユーザに選択させ、
前記指示手段は、
前記選択手段で選択された画像処理と、前記第２の独自機能情報とを比較して、前記選択手段で選択された画像処理を前記作業用表示装置が実行可能か否かを判断し、
前記選択手段で選択された画像処理を前記作業用表示装置が実行不可能であると判断した場合に、前記選択手段で選択された画像処理と、前記第２の独自機能情報と、前記代用情報とを比較して、前記代用可能な画像処理を判断する
ことを特徴とする請求項２または３に記載の表示管理システム。
【請求項５】
ユーザが画像を編集する際に用いられ、入力された画像を必要に応じて画像処理を施して表示部に表示する作業用表示装置と、
ユーザが前記作業用表示装置を用いて編集した画像を確認するために用いられ、入力された画像を必要に応じて画像処理を施して表示部に表示するマスタ表示装置と、
を有する表示管理システムであって、
前記マスタ表示装置は、
前記マスタ表示装置が実行可能な画像処理から、ユーザが前記作業用表示装置を用いて編集した画像を前記マスタ表示装置を用いて確認する際に前記マスタ表示装置が実行する画像処理を、ユーザに選択させる選択手段と、
前記選択手段で選択された画像処理を前記作業用表示装置が実行可能な場合に、該画像処理を前記作業用表示装置に指示する指示手段と、
を有し、
前記作業用表示装置は、
入力された画像に、前記指示手段から指示された画像処理を施す画像処理手段と、
前記画像処理手段で画像処理が施された画像を表示部に表示する表示手段と、
を有する
ことを特徴とする表示管理システム。
【請求項６】
前記選択手段で選択された画像処理を前記作業用表示装置が実行不可能な場合に、前記指示手段は、前記作業用表示装置が実行可能な画像処理のうち、前記選択手段で選択された画像処理として代用可能な画像処理を、前記作業用表示装置に指示する
ことを特徴とする請求項５に記載の表示管理システム。
【請求項７】
前記選択手段で選択された画像処理、及び、該画像処理として代用可能な画像処理を前記作業用表示装置が実行不可能な場合に、前記指示手段は、前記作業用表示装置に、前記マスタ表示装置と同じ表示を行えない旨の警告の表示を指示し、
前記表示手段は、前記指示手段から前記警告の表示が指示された場合に、表示部に該警告を表示する
ことを特徴とする請求項５または６に記載の表示管理システム。
【請求項８】
前記マスタ表示装置は、前記マスタ表示装置が実行可能な画像処理を表す第１の独自機能情報と、前記作業用表示装置が実行可能な画像処理を表す第２の独自機能情報と、画像処理毎に、その画像処理として代用可能な画像処理を表す代用情報と、を記憶する記憶部を更に有し、
前記選択手段は、前記第１の独自機能情報で表される画像処理の中から、画像処理をユ
ーザに選択させ、
前記指示手段は、
前記選択手段で選択された画像処理と、前記第２の独自機能情報とを比較して、前記選択手段で選択された画像処理を前記作業用表示装置が実行可能か否かを判断し、
前記選択手段で選択された画像処理を前記作業用表示装置が実行不可能であると判断した場合に、前記選択手段で選択された画像処理と、前記第２の独自機能情報と、前記代用情報とを比較して、前記代用可能な画像処理を判断する
ことを特徴とする請求項６または７に記載の表示管理システム。
【請求項９】
ユーザが画像を編集する際に用いられ、入力された画像を必要に応じて画像処理を施して表示部に表示する作業用表示装置であって、
ユーザが前記作業用表示装置を用いて編集した画像を確認するために用いられ、入力された画像を必要に応じて画像処理を施して表示部に表示するマスタ表示装置が実行可能な画像処理から、ユーザが前記作業用表示装置を用いて編集した画像を前記マスタ表示装置を用いて確認する際に前記マスタ表示装置が実行する画像処理を、ユーザに選択させる選択手段と、
前記選択手段で選択された画像処理を前記作業用表示装置が実行可能な場合に、該画像処理を入力された画像に施す画像処理手段と、
前記画像処理手段で画像処理が施された画像を表示部に表示する表示手段と、
を有することを特徴とする作業用表示装置。
【請求項１０】
前記選択手段で選択された画像処理を前記作業用表示装置が実行不可能な場合に、前記画像処理手段は、前記作業用表示装置が実行可能な画像処理のうち、前記選択手段で選択された画像処理として代用可能な画像処理を、入力された画像に施す
ことを特徴とする請求項９に記載の作業用表示装置。
【請求項１１】
前記選択手段で選択された画像処理、及び、該画像処理として代用可能な画像処理を前記作業用表示装置が実行不可能な場合に、前記表示手段は、前記マスタ表示装置と同じ表示を行えない旨の警告を表示する
ことを特徴とする請求項９または１０に記載の作業用表示装置。
【請求項１２】
前記作業用表示装置は、前記マスタ表示装置が実行可能な画像処理を表す第１の独自機能情報と、前記作業用表示装置が実行可能な画像処理を表す第２の独自機能情報と、画像処理毎に、その画像処理として代用可能な画像処理を表す代用情報と、を記憶する記憶部を更に有し、
前記選択手段は、前記第１の独自機能情報で表される画像処理の中から、画像処理をユーザに選択させ、
前記画像処理手段は、
前記選択手段で選択された画像処理と、前記第２の独自機能情報とを比較して、前記選択手段で選択された画像処理を前記作業用表示装置が実行可能か否かを判断し、
前記選択手段で選択された画像処理を前記作業用表示装置が実行不可能であると判断した場合に、前記選択手段で選択された画像処理と、前記第２の独自機能情報と、前記代用情報とを比較して、前記代用可能な画像処理を判断する
ことを特徴とする請求項１０または１１に記載の作業用表示装置。
【請求項１３】
ユーザが画像を編集する際に用いられ、入力された画像を必要に応じて画像処理を施して表示部に表示する作業用表示装置と、
ユーザが前記作業用表示装置を用いて編集した画像を確認するために用いられ、入力された画像を必要に応じて画像処理を施して表示部に表示するマスタ表示装置と、
管理サーバと、
を有する表示管理システムの制御方法であって、
前記管理サーバが、前記マスタ表示装置が実行可能な画像処理から、ユーザが前記作業用表示装置を用いて編集した画像を前記マスタ表示装置を用いて確認する際に前記マスタ表示装置が実行する画像処理を、ユーザに選択させる選択ステップと、
前記管理サーバが、前記選択ステップで選択された画像処理を前記作業用表示装置が実行可能な場合に、該画像処理を前記作業用表示装置に指示する指示ステップと、
前記作業用表示装置が、入力された画像に、前記指示ステップで指示された画像処理を施す画像処理ステップと、
前記作業用表示装置が、前記画像処理ステップで画像処理が施された画像を表示部に表示する表示ステップと、
を有することを特徴とする表示管理システムの制御方法。
【請求項１４】
前記選択ステップで選択された画像処理を前記作業用表示装置が実行不可能な場合に、前記指示ステップでは、前記管理サーバが、前記作業用表示装置が実行可能な画像処理のうち、前記選択ステップで選択された画像処理として代用可能な画像処理を、前記作業用表示装置に指示する
ことを特徴とする請求項１３に記載の表示管理システムの制御方法。
【請求項１５】
前記選択ステップで選択された画像処理、及び、該画像処理として代用可能な画像処理を前記作業用表示装置が実行不可能な場合に、前記指示ステップでは、前記管理サーバが、前記作業用表示装置に、前記マスタ表示装置と同じ表示を行えない旨の警告の表示を指示し、
前記表示ステップでは、前記指示ステップで前記警告の表示が指示された場合に、前記作業用表示装置が、表示部に該警告を表示する
ことを特徴とする請求項１３または１４に記載の表示管理システムの制御方法。
【請求項１６】
前記管理サーバは、前記マスタ表示装置が実行可能な画像処理を表す第１の独自機能情報と、前記作業用表示装置が実行可能な画像処理を表す第２の独自機能情報と、画像処理毎に、その画像処理として代用可能な画像処理を表す代用情報と、を記憶する記憶部を有しており、
前記選択ステップでは、前記管理サーバが、前記第１の独自機能情報で表される画像処理の中から、画像処理をユーザに選択させ、
前記指示ステップでは、前記管理サーバが、
前記選択ステップで選択された画像処理と、前記第２の独自機能情報とを比較して、前記選択ステップで選択された画像処理を前記作業用表示装置が実行可能か否かを判断し、
前記選択ステップで選択された画像処理を前記作業用表示装置が実行不可能であると判断した場合に、前記選択ステップで選択された画像処理と、前記第２の独自機能情報と、前記代用情報とを比較して、前記代用可能な画像処理を判断する
ことを特徴とする請求項１４または１５に記載の表示管理システムの制御方法。
【請求項１７】
ユーザが画像を編集する際に用いられ、入力された画像を必要に応じて画像処理を施して表示部に表示する作業用表示装置と、
ユーザが前記作業用表示装置を用いて編集した画像を確認するために用いられ、入力された画像を必要に応じて画像処理を施して表示部に表示するマスタ表示装置と、
を有する表示管理システムの制御方法であって、
前記マスタ表示装置が、前記マスタ表示装置が実行可能な画像処理から、ユーザが前記作業用表示装置を用いて編集した画像を前記マスタ表示装置を用いて確認する際に前記マスタ表示装置が実行する画像処理を、ユーザに選択させる選択ステップと、
前記マスタ表示装置が、前記選択ステップで選択された画像処理を前記作業用表示装置
が実行可能な場合に、該画像処理を前記作業用表示装置に指示する指示ステップと、
前記作業用表示装置が、入力された画像に、前記指示ステップで指示された画像処理を施す画像処理ステップと、
前記作業用表示装置が、前記画像処理ステップで画像処理が施された画像を表示部に表示する表示ステップと、
を有することを特徴とする表示管理システムの制御方法。
【請求項１８】
前記選択ステップで選択された画像処理を前記作業用表示装置が実行不可能な場合に、前記指示ステップでは、前記マスタ表示装置が、前記作業用表示装置が実行可能な画像処理のうち、前記選択ステップで選択された画像処理として代用可能な画像処理を、前記作業用表示装置に指示する
ことを特徴とする請求項１７に記載の表示管理システムの制御方法。
【請求項１９】
前記選択ステップで選択された画像処理、及び、該画像処理として代用可能な画像処理を前記作業用表示装置が実行不可能な場合に、前記指示ステップでは、前記マスタ表示装置が、前記作業用表示装置に、前記マスタ表示装置と同じ表示を行えない旨の警告の表示を指示し、
前記表示ステップでは、前記指示ステップで前記警告の表示が指示された場合に、前記作業用表示装置が、表示部に該警告を表示する
ことを特徴とする請求項１７または１８に記載の表示管理システムの制御方法。
【請求項２０】
前記マスタ表示装置は、前記マスタ表示装置が実行可能な画像処理を表す第１の独自機能情報と、前記作業用表示装置が実行可能な画像処理を表す第２の独自機能情報と、画像処理毎に、その画像処理として代用可能な画像処理を表す代用情報と、を記憶する記憶部を有しており、
前記選択ステップでは、前記マスタ表示装置が、前記第１の独自機能情報で表される画像処理の中から、画像処理をユーザに選択させ、
前記指示ステップでは、前記マスタ表示装置が、
前記選択ステップで選択された画像処理と、前記第２の独自機能情報とを比較して、前記選択ステップで選択された画像処理を前記作業用表示装置が実行可能か否かを判断し、
前記選択ステップで選択された画像処理を前記作業用表示装置が実行不可能であると判断した場合に、前記選択ステップで選択された画像処理と、前記第２の独自機能情報と、前記代用情報とを比較して、前記代用可能な画像処理を判断する
ことを特徴とする請求項１８または１９に記載の表示管理システムの制御方法。
【請求項２１】
ユーザが画像を編集する際に用いられ、入力された画像を必要に応じて画像処理を施して表示部に表示する作業用表示装置の制御方法であって、
ユーザが前記作業用表示装置を用いて編集した画像を確認するために用いられ、入力された画像を必要に応じて画像処理を施して表示部に表示するマスタ表示装置が実行可能な画像処理から、ユーザが前記作業用表示装置を用いて編集した画像を前記マスタ表示装置を用いて確認する際に前記マスタ表示装置が実行する画像処理を、ユーザに選択させる選択ステップと、
前記選択ステップで選択された画像処理を前記作業用表示装置が実行可能な場合に、該画像処理を入力された画像に施す画像処理ステップと、
前記画像処理ステップで画像処理が施された画像を表示部に表示する表示ステップと、を有することを特徴とする作業用表示装置の制御方法。
【請求項２２】
前記選択ステップで選択された画像処理を前記作業用表示装置が実行不可能な場合に、前記画像処理ステップでは、前記作業用表示装置が実行可能な画像処理のうち、前記選択
ステップで選択された画像処理として代用可能な画像処理を、入力された画像に施す
ことを特徴とする請求項２１に記載の作業用表示装置の制御方法。
【請求項２３】
前記選択ステップで選択された画像処理、及び、該画像処理として代用可能な画像処理を前記作業用表示装置が実行不可能な場合に、前記表示ステップでは、前記マスタ表示装置と同じ表示を行えない旨の警告を表示する
ことを特徴とする請求項２１または２２に記載の作業用表示装置の制御方法。
【請求項２４】
前記作業用表示装置は、前記マスタ表示装置が実行可能な画像処理を表す第１の独自機能情報と、前記作業用表示装置が実行可能な画像処理を表す第２の独自機能情報と、画像処理毎に、その画像処理として代用可能な画像処理を表す代用情報と、を記憶する記憶部を有しており、
前記選択ステップでは、前記第１の独自機能情報で表される画像処理の中から、画像処理をユーザに選択させ、
前記画像処理ステップでは、
前記選択ステップで選択された画像処理と、前記第２の独自機能情報とを比較して、前記選択ステップで選択された画像処理を前記作業用表示装置が実行可能か否かを判断し、
前記選択ステップで選択された画像処理を前記作業用表示装置が実行不可能であると判断した場合に、前記選択ステップで選択された画像処理と、前記第２の独自機能情報と、前記代用情報とを比較して、前記代用可能な画像処理を判断する
ことを特徴とする請求項２２または２３に記載の作業用表示装置の制御方法。
【手続補正２】
【補正対象書類名】明細書
【補正対象項目名】００６６
【補正方法】変更
【補正の内容】
【００６６】
なお、本実施例では、仕事・工程定義情報の作成時に、仕事・工程情報で示される仕事及び工程に対して複数の画像処理が選択されていた場合には、選択された画像処理毎に独自機能設定値の出力が行われるものとしたが、このような構成に限らない。例えば、独自機能設定値の出力は１回であってもよい。具体的には、選択された画像処理毎に作業用表示装置で実行させる画像処理（選択された画像処理または該画像処理として代用可能な画像処理）のＩＤが決定され、決定された全てのＩＤが独自機能設定値として出力されてもよい。また、選択された画像処理の中に、画像処理及び該画像処理として代用可能な画像処理のいずれも作業用表示装置で実行不可能なものが１つでも存在する場合には、独自機能設定値として上記警告信号が出力されてもよい。警告信号を出力せずに、実行可能な画像処理（選択された画像処理または該画像処理として代用可能な画像処理）のＩＤのみが独自機能設定値として出力されてもよい。